(57)【要約】【課題】本発明は蓋付きの箱体を台紙に固定することにより蓋が容易に開かないようにすると共に、商品に関する説明の全てを別途印刷された用紙を箱の中に入れなくても購入客が確認できる包装容器を得るにある。【解決手段】クリヤシートを折り曲げて形成し開閉できる蓋を設けた箱体と、該箱体の底板の少なくとも一対の対向する両端に水平に設けた係止片と、前記箱体を保持する台紙と、該台紙に設けた前記係止片を固定する固定手段とで包装容器を構成している。【選択図】    図１
2007269354.tif 000002
【特許請求の範囲】
【請求項１】
透明の樹脂シート（以下クリヤシートという）を折り曲げて形成し開閉できる蓋を設けた箱体と、該箱体の底板の少なくとも一対の対向する両端に水平に設けた係止片と、前記箱体を保持する台紙と、該台紙に設けた前記係止片を固定する固定手段とからなることを特徴とする包装容器。
【請求項２】
クリヤシートを折り曲げて形成し開閉できる蓋を設けた箱体と、該箱体の底板の少なくとも一対の対向する両端に水平に設けた係止片と、箱体を保持する台紙と、箱体の平面外形状に合わせて台紙を切り抜いて形成した箱体を挿入する保持穴とからなり、箱体を台紙の裏側から前記保持穴に挿入して係止片を台紙の裏面に密着固定させたことを特徴とする包装容器。
【請求項３】
クリヤシートを折り曲げて形成した箱体と、該箱体両端の開口部の上板縁に折り目を施して下方へ連接して形成した開閉できる蓋と、箱体の底板の両端開口部側を延長して設けた一対の対向する係止片と、箱体を保持する台紙と、箱体の平面外形状に合わせて台紙を切り抜いて形成した箱体を挿入する保持穴とからなり、箱体を台紙の裏側から保持穴に挿入して係止片を台紙の裏面に密着固定させ蓋を閉じた時、切り抜かれた保持穴の断面に前記蓋の下端を当接させることにより蓋が容易に開かないようにしたことを特徴とする包装容器。
【請求項４】
クリヤシートを折り曲げて形成した箱体と、該箱体両端の開口部の上板縁に折り目を施して下方へ連接して形成した開閉できる蓋と、箱体の底板の両端開口部側を延長して設けた一対の対向する係止片と、箱体を保持する台紙と、前記一対の係止片の位置に対応して前記台紙に形成した一対の切り込み部とからなり、該切り込み部に一対の対向する係止片をそれぞれ差し込んで箱体を保持することを特徴とする包装容器。
【請求項５】
クリヤシートを折り曲げて形成した箱体と、該箱体両端の開口部の上板縁に折り目を施して下方へ連接して形成した開閉できる蓋と、箱体の底板の両端開口部側を延長して設けた一対の対向する係止片と、前記箱体を保持する台紙と、前記一対の係止片の位置に対応して前記台紙に形成した一対の切り込み部とからなり、前記一対の係止片を前記一対の切り込み部にそれぞれ差し込んで箱体を保持した後蓋を閉じた時、係止片によって浮き上げられた台紙の切り込み部断面に蓋の下端を当接させることにより蓋が容易に開かないようにしたことを特徴とする包装容器。
【請求項６】
板状のシート材料を折り曲げて形成し開閉できる蓋を設けた箱体からなる請求項１、請求項２、請求項３の包装容器。
【発明の詳細な説明】
【技術分野】
【０００１】
本発明は、板状のシートを一体的に折り曲げて形成し、商品を収納して店頭に陳列する蓋付きの包装容器に関する。
【背景技術】
【０００２】
従来、厚紙を折り曲げて箱体を形成し、吊り下げ片の折り返し部に連接して係止片を設け、蓋には前記係止片を差し込む係止穴を設けた包装容器において、商品を収納した後閉じた蓋の係止穴に前記係止片を差し込むことにより折り返し部が蓋に当接して蓋の閉鎖が外れにくいように保持する技術が知られている。（例えば、特許文献１参照）
【特許文献１】特許公開２００１−９７４４７号公報（第５頁、４図）
【０００３】
また、図１２のように厚紙或いはクリヤシートを折り曲げて形成した箱体と、該箱体の開口部の上板から連接して設けた蓋と、該蓋の先端部に折り目を付けて連接した差し込み片とからなる包装容器では、前記蓋と差し込み片の連接部の折り目の両端にスリットを形成している。
この構成からなる包装容器では、蓋を閉めると差し込み片が箱体の底板内面に沿って差し込まれ、差し込みが完了すると箱体の両側板から連接して開口部の内側に向けて設けた補助蓋が前記スリットに割り込んで蓋が係止されるので、蓋が容易に開かないように保持される技術が知られている。        
【発明の開示】
【発明が解決しようとする課題】
【０００４】
しかし、特許文献１によれば、吊り下げ片の折り返し部に連接した係止片を蓋片に設けた係止穴に差し込むことにより折り返し部が蓋片に当接して蓋片が開かないように保持しているが、商品を入れて蓋を閉める時に吊り下げ片と切り込み片をくの字に曲げ、さらに吊り下げ片を折り曲げて行きながら係止穴に係止片を差し込み、さらに吊り下げ部を完全に折るという一連の作業をしなければならないという煩わしさがあった。
また、吊り下げ片を完全に折っても、折り曲げ部のスプリングバックで吊り下げ片は切り込み片を残して前方へ浮いてしまうので見栄えが悪いという欠点があった。  
【０００５】
また、図１２のような従来の包装容器は、店頭で購入客が箱の中の商品を見るために取り出そうとして蓋を開けるか、或いは包装するときに一度包装した商品の配置や方向を変える為に蓋を開けるか、或いは商品の入れ替え作業をするため蓋を開けると、蓋と補助蓋の係止した部分のどちらかが折れ曲がって変形或いは破損するので、新しい箱を用意しなければならないという欠点があった。
【０００６】
前述の従来技術により製作された比較的小さい包装容器では、購入客に商品をアピールする字句や商品の特徴、取り扱い説明等を容器の外表に表示するには外表面積が少ないため表示量に限界があるので、取り扱い説明書或いは保証書の用紙は別途製作し、折り畳んで包装容器の中に入れなければならないから、用紙の製作費用とこの用紙を折り畳んで収納する手間がかかるという欠点があった。  
【０００７】
本発明は以上のような従来の欠点に鑑み、透明の樹脂シートを折り曲げて形成した蓋付きの箱体を台紙に固定することにより、蓋が容易に開かないようにすると共に商品に関する説明の全てを別途の用紙を使わなくても購入客が確認できる包装容器を提供することを目的としている。
【課題を解決するための手段】
【０００８】
上記目的を達成する為に、本発明はクリヤシートを折り曲げて形成し開閉できる蓋を設けた箱体と、該箱体の底板の少なくとも一対の対向する両端に水平に設けた係止片と、前記箱体を保持する台紙と、該台紙に前記係止片を固定する固定手段とで包装容器を構成している。
【発明の効果】
【０００９】
本発明によれば次のような効果が得られる。
【００１０】
請求項１において、クリヤシートを折り曲げて形成し開閉できる蓋を設けた箱体と、該箱体の底板の少なくとも一対の対向する各稜に水平に設けた係止片と、前記箱体を保持する台紙と、該台紙に設けた前記係止片を固定する固定手段とで包装容器を構成しているので、箱体を台紙に保持することにより箱体の表面だけでなく台紙の表面も利用して商品説明の字体を大きくすることや、多くの説明字句を表示することが出来る。
従って、箱体のみの包装と比べて商品を陳列した時に購入者に強く印象付けできるので、購買意欲を高めることが出来るという効果が得られる。
また、商品説明等を台紙の裏に記載すれば、商品説明書を別途製作する作業や、この説
明書を折り畳んでケースの中に入れ込む作業が不要になるので、説明書の製作費用や包装
作業時間が短縮できるという効果が得られる。
【００１１】
請求項２において、クリヤシートを折り曲げて形成した箱体と、該箱体両端の開口部の
上板縁に折り目を施して下方へ連接して形成した開閉できる蓋と、箱体の底板の両端開口
部側を延長して設けた一対の対向する係止片と、前記箱体を保持する台紙と、該台紙を箱
体の平面外形状に合わせて切り抜いて形成した箱体の保持穴とで包装容器を構成している
ので、箱体を台紙に保持することにより箱体の表面だけでなく台紙の表面も利用して広い
面積を印刷表示に利用できる。
従って請求項１と同様の効果が得られる。
また、箱体を台紙に固定した後蓋を開けた状態で折り畳むことが出来るのでかさばらないから、輸送或いは保管の所要容積が少なくて済むという効果が得られる。
【００１２】
請求項３において、クリヤシートを折り曲げて形成した箱体と、該箱体両端の開口部の上板縁に折り目を施して下方へ連接して形成した開閉できる蓋と、箱体の底板の両端開口部側を延長して設けた一対の対向する係止片と、前記箱体を保持する台紙と、該台紙を箱体の平面外形状に合わせて切り抜いて形成した箱体を挿入する保持穴とで包装容器を構成しているので、箱体を台紙の裏側から保持穴に挿入して係止片を台紙の裏面に密着固定させた後蓋を閉じた時、蓋の下端が保持穴の切り抜かれた断面と干渉させるように蓋の長さを設定しているので、蓋を閉めると蓋の先端が台紙の上面から保持穴へ落ち込むようになる。
従って、蓋に開く方向の力が作用しても台紙の保持穴の切り抜きかれた断面は蓋の下端が当接してストッパーの役割を果たすので開く方向には移動できないから、箱体の上板縁と蓋の折り目にスプリングバックが発生しても蓋は開くことがないという効果がある。
【００１３】
請求項４において、クリヤシートを折り曲げて形成し開閉できる蓋を設けた箱体と、該箱体両端の開口部の上板縁に折り目を施して下方へ連接して形成した蓋と、箱体の底板の両端開口部側を延長して設けた一対の対向する係止片と、箱体を保持する台紙と、前記一対の係止片の位置に対応して前記台紙に形成した一対の切り込み部とで包装容器を構成しているので、箱体の一対の対向する係止片を切り込み部にそれぞれ差し込むことにより台紙が箱体を保持することができる。
従って、前記請求項２と同様な効果が得られる。
【００１４】
請求項５において、クリヤシートを折り曲げて形成し開閉できる蓋を設けた箱体と、該箱体両端の開口部の上板縁に折り目を施して下方へ連接して形成した蓋と、箱体の底板の両端開口部側を延長して設けた一対の対向する係止片と、前記箱体を保持する台紙と、前記一対の係止片の位置に対応して前記台紙に形成した一対の切り込み部とで包装容器を構成しているので、切り込み部は係止片により係止片の上に押し上げられ、蓋を閉じた時係止片の上に押し上げられた切込み部の断面と蓋の下端を当接させるように蓋の長さを設定しているので、蓋を閉めると蓋の下端が切り込み部の台紙の上面から切り込み部へ落ち込むようになる。
従って、蓋に開く方向の力が作用しても切り込み部の台紙断面は蓋の下端が当接してストッパーの役割を果たすので蓋は開く方向には移動できない。
従って、前記請求項３と同様な効果が得られる。
【００１５】
請求項６において、クリヤシートを板状のシート材料（例えば、不透明の樹脂、厚紙）に代えて請求項１、請求項２、請求項３と同様の包装容器を構成している。
従って、請求項１、請求項２、請求項３と同様の効果が得られる。
【発明を実施するための最良の形態】
【００１６】
本発明は、図１に示すクリヤシートを折り曲げて形成した箱体１と、箱体１の両端の開口部の上板縁に折り目１１、１１を施して下方へ連接して形成した蓋８、８と、該箱体１の底板６の一対の対向する両端に水平に設けた係止片２、２と、箱体１の平面外形状に合わせて箱体１を挿入する保持穴５を切り抜いて形成した台紙４ａと、箱体１を台紙４ａに固定するカバー台紙４ｂとで実施の主たる形態を構成している。
以下、本発明の実施の形態について説明する。
【実施例１】
【００１７】
図１における本発明の第1の実施の形態において、クリヤシートを折り曲げて箱体１を形成し、箱体１の両端の開口部の上板縁に折り目１１、１１を施して下方へ連接して開閉できる蓋８、８を設け、箱体１の底板６の開口部側の対向する両端を水平に延長して一対の係止片２、２を設けている。
箱体１を保持する台紙４ａには箱体１の平面外形状に合わせて保持穴５が切り抜いて形成され、箱体１を台紙４ａの裏側から保持穴５に挿入して係止片２、２を台紙１の裏面に密着させた後、台紙４ａにカバー台紙４ｂを接着固定することにより係止片２、２を固定している。カバー台紙４ｂは係止片２、２も一緒に接着固定しても良い。
カバー台紙４ｂに代わり、接着テープで係止片２、２と台紙４ａを一緒に貼り付けて固定するか、或いは台紙４ａと係止片２、２の間に両面接着テープを挟んで接着固定しても良い。
商品を収納するときは蓋８、８を開けて（片方の蓋だけでも良い）商品を入れ、蓋８、８の先端に連接してＬ字に折り返した差し込み部９、９を設けて箱体１の中へ差し込みながらさらに蓋８、８を閉めると、蓋８、８の下端が台紙４ａの上面を滑りながら保持穴５へ落ち込むように蓋８の長さを設定している。
従って、蓋８、８に開く方向の力が作用しても保持穴５の台紙断面は蓋の下端が当接してストッパーの役割を果たすので蓋８、８は開く方向には移動できない。
【００１８】
従来、クリヤシートを折り曲げて形成した箱体（以下クリヤケースという）の単体だけを包装容器として使う時は、購入者が中の商品を理解するのに効果のある表示場所は主として上面に限られてしまうが、本発明では主として箱体１の上面にだけではなく、台紙４ａの表面も含め両方の広いスペースにも商品の識別や商品の特徴を表現する字句を印刷できるので、従来のクリヤケース単体だけよりもさらに購入者に強い印象付けが出来る。
また、従来のクリヤケース単体の場合は商品の取り扱い説明或いは注意書きは、印刷した用紙をクリヤケースの中に入れなければならなかったが、本実施例ではカバー台紙４ｂの表になる面（固着面と反対の面）に商品の取り扱い説明等を印刷するための十分なスペースがあるので、クリヤケース単体の場合のように印刷物を別途製作する費用やこの印刷物をケースに詰め込む作業が省けるという効果が得られる。
また、本実施の形態の包装容器は、蓋８、８及び差し込み部９、９を伸ばし、箱体１を押して畳むことが出来るので、重ねてもかさばらないから輸送や保管が楽であるという効果が得られる。
【００１９】
図２は箱体１を台紙４ａの保持穴５に挿入して係止片２、２を台紙４ａに固着させた時の側面の断面図である。図２の（ａ）は箱体１を台紙４ａの裏側から保持穴５に挿入して係止片２、２を台紙４ａの裏面に密着固定させ蓋８、８が開いている状態である。
蓋８、８を閉じた時、蓋８、８の下端が保持穴５の切り抜かれた断面１０に干渉させるように蓋８、８の長さを設定しているので、蓋８、８を閉じると少し撓みながら下端が台紙４ａの上面を滑り図２の（ｂ）に示すように台紙４ａの上面から保持穴５に落ち込む。
従って、蓋８、８に開く方向の力が作用しても台紙４ａの保持穴５の断面１０に当接して断面１０がストッパーの役割を果たすので、蓋８、８は開く方向には移動できないから、箱体１の上板縁と蓋８、８の折り目１１、１１にスプリングバックが発生しても或いは中の商品の重量が蓋８、８を開ける方向に作用しても蓋８、８は開くことがないという効果がある。
また、購入者が購入した後開封する時は、箱体１の開口部側に当たる保持穴５の１辺の
位置で台紙４ａを山折りに折れば、蓋８、８の下端が当接する断面１０が逃げるので蓋８、
８を簡単に開けることが出来る。
【実施例２】
【００２０】
次に本発明の異なる実施の形態について説明する。
なお、これらの本発明の異なる実施の形態の説明に当たって、前記本発明の実施例１の形態と同一構成部分には同一符号を付して重複する説明を省略する。              
【００２１】
図３における本発明の第２の実施の形態において、前記本発明の第１の実施の形態と主に異なる点は、一枚の台紙本体４の中央に折れ曲がり筋を入れておき、片側半分を台紙４ａとして箱体１の保持穴５を設け、もう一方の半分をカバー台紙４ｂとする。    
箱体１を図のように保持穴５に挿入して係止片２、２を台紙４ａに密着させた後、台紙本体４を中央から山折りにしてカバー台紙４ｂを台紙４ａの裏側に固着させている。
従って、前記本発明の第１の実施の形態と同様な作用効果が得られる。
台紙本体４の中央に折れ曲がり筋を入れておくことにより台紙４ａとカバー台紙４ｂの位置合わせが楽に出来る。
また、台紙本体４は山折りにすると裏面が張り合わせされるので、山折りする前におもて面のみに印刷を施すだけで良いが、カバー台紙４ｂの裏面が保持穴５を通して部分的に見えるのを防ぎたい場合は、箱体１の底板６に模様や字柄を印刷するか、或いはカバー台紙４ｂの切り抜かれた台紙片を箱体の底板とカバー台紙の間に入れ保持穴５の位置に合わせて固定すれば良い。      
【実施例３】
【００２２】
図４における本発明の第３の実施の形態において、前記本発明の第１の実施の形態と主に異なる点は、箱体１の底板６を延長して設けられた係止片２、２をさらに横方向に延長して補助係止片２ａ、２ａを設けている。
クリヤシートの厚さを薄くすると、箱体１の底板６の中央付近に持ち上げる力が作用した時底板６と係止片２、２が撓んで係止片２、２が台紙４ａから抜け出す可能性があるが、横へ張り出した補助係止片２ａ、２ａが台紙４ａに引掛かる為ストッパーの役割を果たすので係止片２、２は抜け出すことは無い。
従って、本発明の第３の実施の形態においても前記本発明の第１の実施の形態と同様な作用効果が得られる。
【実施例４】
【００２３】
図５における本発明の第４の実施の形態において、前記本発明の第３の実施の形態と主に異なる点は、箱体１の対向する係止片２、２の方向と直角の方向の底板６の対向する両端付近を図のように外側へ水平に切り起こして係止片３、３を設けている。
クリヤシートの厚さを薄くすると、箱体１の底板６の中央付近に持ち上げる力が作用した時底板６が撓んで係止片２、２が台紙４ａから抜け出す可能性があるが、係止片３、３も係止片２、２と同様に固着されているので底板６が撓むことは無い。
従って、前記本発明の第３の実施の形態と同様な作用効果が得られる。
【実施例５】
【００２４】
図６における本発明の第５の実施の形態において、前記本発明の第４の実施の形態と主に異なる点は、係止片２、２に代わって底板６の対向する両端付近を図のように外側へ水平に切り起こして係止片２ｂ、２ｂを形成している。
従って、本発明の第５の実施の形態においても、前記本発明の第４の実施の形態と同様な作用効果が得られる。
この場合、蓋８、８の差し込み部９、９は箱体１の上部に差し込むことになり、蓋８、８が開く方向には当接するものがないので、開蓋は容易である。
【実施例６】
【００２５】
図７における本発明の第６の実施の形態において、前記本発明の第４の実施の形態と主に異なる点は、箱体１の側板７、７の底板付近を図のように外側へ水平に切り起こし係止片３ａ、３ａを形成している。
従って、本発明の第６の実施の形態においても、前記本発明の第４の実施の形態と同様な作用効果が得られる。
【実施例７】
【００２６】
図８における本発明の第７の実施の形態において、前記本発明の第１の実施の形態と主に異なる点は、箱体１の上面の４辺に沿って連接する板を下方に折り曲げて対向する側板７ａ、７ａおよび対向する蓋８、８を形成し、その先をL字に折り返して図のように係止片３ｃ、３ｃ及び差し込み片９、９を形成して箱体１を構成しており、底板６は省かれている。
箱体１を台紙４ａの保持穴５に挿入して係止片３ｃ、３ｃが台紙４ａの裏面に密着したらカバー台紙４ｂを台紙４ａ及び係止片３ｃ、３ｃに固着させることにより箱体１を保持することが出来る。
図９の（ａ）に示す蓋８、８を閉じた時は、蓋８、８の下端が保持穴５の切り抜かれた断面１０と干渉させるように蓋８、８の長さを設定している。蓋８、８は閉じると下端が台紙４ａの上面を撓んで滑りながら図９の（ｂ）に示すように保持穴５に落ち込むので、蓋８、８に開く方向の力が作用しても断面１０に当接して断面１０がストッパーの役割を果たすから蓋８、８は開くことはない。
従って、前記本発明の第１の実施の形態と同様な作用効果が得られる。
【００２７】
また、図８において蓋８の差し込み部９は折り返しを逆に外側へ折り返せば係止片の役割をなすので、台紙４ａとカバー台紙４ｂに挟まれて蓋８、８は開閉できなくなるから、店頭へ陳列中に蓋を開けて欲しくない商品を収納するのに適している。
【実施例８】
【００２８】
図１０における本発明の第８の実施の形態において、前記本発明の第１の実施の形態と主に異なる点は、箱体１の係止片２、２の配置に対応するように台紙４ａに係止片２、２を挿入する切り込み部１２、１２を形成し、係止片２、２をそれぞれ対応する切込み部１２、１２に挿入している。
係止片２、２を挿入する時は箱体１を押し畳めば凸状に撓めることが出来るので、切り込み部１２、１２に挿入可能となる。    
挿入後は畳んだ箱体１を起こして箱状にすることにより側板７、７が梁の役割を果たすため底板６は凸状に撓むことができなくなるので、台紙４ａにしっかりと固定される。
【００２９】
図１１の（ａ）図は係止片２、２が切り込み部１２、１２に挿入された状態の断面図である。
切り込み部１２、１２に係止片２、２が入り込むと、切り込み部１２、１２の台紙の部分が係止片２、２の上に浮き上げられるので、図１１の（ａ）に示す蓋８、８を閉じた時は、蓋８、８の下端が切り込み部１２、１２の断面１０ａと干渉させるように蓋８、８の長さを設定している。
蓋８、８は閉じると下端が台紙４ａの上面を撓んで滑りながら図１１の（ｂ）に示すように切り込み部１２、１２の浮き上げられた断面１０ａに落ち込むので、蓋８、８に開く方向の力が作用しても断面１０ａに当接して断面１０ａがストッパーの役割を果たすから蓋８、８は開くことはない。
従って、第８の実施の形態についても、前記本発明の第１の実施の形態と同様な作用効果が得られる。
また、図１０に示すように、箱体１の底板６が密着している台紙４ａの上面は印刷面が切り抜かれていないので、印刷された模様或いは字句は箱体１を通して見ることが出来る。
【００３０】
なお、箱体１の図は煩雑になるので蓋としては蓋８、８のみ図示しているが、箱体１の側板７、７の開口部の端縁に折り目を施して内側に連接して開閉できる補助蓋を設けても良い。
【図面の簡単な説明】
【００３１】
【図１】第１の実施の形態における斜視図。
【図２】第１の実施の形態における側面の断面図。
【図３】第２の実施の形態における斜視図。
【図４】第３の実施の形態における斜視図。
【図５】第４の実施の形態における斜視図。
【図６】第５の実施の形態における斜視図。
【図７】第６の実施の形態における斜視図。
【図８】第７の実施の形態における斜視図。
【図９】第７の実施の形態における側面の断面図。
【図１０】第８の実施の形態における斜視図。
【図１１】第８の実施の形態における側面の断面図。
【図１２】従来の包装容器の斜視図。
【符号の説明】
【００３２】
１      箱体
２      係止片
２ａ    係止片
３      係止片
３ａ    係止片
４      台紙本体
４ａ    台紙
４ｂ    カバー台紙
５      保持穴
６      底板
７      側板
８      蓋
９      差し込み部
１０    断面
１０ａ  断面
１１    折り目
１２    切り込み部
【図１】
2007269354.tif 000003
【図２】
2007269354.tif 000004
【図３】
2007269354.tif 000005
【図４】
2007269354.tif 000006
【図５】
2007269354.tif 000007
【図６】
2007269354.tif 000008
【図７】
2007269354.tif 000009
【図８】
2007269354.tif 000010
【図９】
2007269354.tif 000011
【図１０】
2007269354.tif 000012
【図１１】
2007269354.tif 000013
【図１２】
2007269354.tif 000014